(57)【特許請求の範囲】
【請求項１】
放送局装置から送信された番組の内容を含む放送信号を受信する受信装置であって、
前記放送信号の送信日から一定期間内に放送されるべき全ての放送予定番組の編成は、前記放送信号の送信日以前に確定されており、
前記一定期間内の前記全ての放送予定番組の各々には、前記放送信号の送信日以前に、その放送予定番組を識別するための第１の番組識別子が付与されており、
前記一定期間よりも後に放送されるべきことが仮に決定されている放送予定番組の各々には、その放送予定番組を識別するための第２の番組識別子が付与されており、
前記放送局装置により、前記一定期間内の前記全ての放送予定番組の各々に関する第１の番組情報が生成されるとともに、前記仮に決定されている放送予定番組の各々に関する第２の番組情報が生成され、
前記第１の番組情報は、前記第１の番組識別子および放送予定番組の編成に関する編成情報を含み、前記放送局装置から送信され、
前記第２の番組情報は、前記第２の番組識別子および放送予定番組の編成に関する編成情報を含み、かつ前記第１の番組識別子を含まず、
時間の経過により、仮に決定されている放送予定番組の編成が確定されたときに、前記仮に決定されている放送予定番組に関する第２の番組情報に第１の番組識別子が追加されるとともに、仮に決定されている放送予定番組に関する第２の番組情報に含まれる編成情報が、確定された編成に関する編成情報に変更されることにより、第２の番組情報が第１の番組情報に変更され、変更された第１の番組情報が前記放送局装置から送信され、
前記受信装置は、
前記放送局装置から送信された前記放送信号および前記放送局装置から送信された前記第１の番組情報を受信する受信部と、
前記第２の番組情報を取得する取得部と、
前記受信部により受信された前記第１の番組情報および前記取得部により取得された第２の番組情報を蓄積する蓄積部と、
前記蓄積部に蓄積された前記第１の番組情報に基づいて前記一定期間内に放送されるべき放送予定番組の予約を行うこと、および前記蓄積部に蓄積された第２の番組情報に基づいて前記仮に決定されている放送予定番組の予約を行うことが可能に構成された予約部と、
前記予約部により前記一定期間内に放送されるべき放送予定番組が予約された場合に前記第１の番組情報を記憶し、前記予約部により前記仮に決定されている放送予定番組が予約された場合に前記第２の番組情報を記憶する記憶部と、
前記予約部により前記仮に決定されている放送予定番組が予約された後、時間の経過により、予約された放送予定番組に関する第２の番組情報に含まれる第２の番組識別子と同じ第２の番組識別子を含む第１の番組情報が受信された場合に、前記記憶部に記憶された前記第２の番組情報を前記受信された第１の番組情報で置換する置換部と、
前記記憶部に記憶された第１の番組情報の第１の番組識別子に基づいて、前記予約部により予約された放送予定番組に対応する放送信号を出力する出力部とを備える、受信装置。
【請求項２】
前記第２の番組情報は、前記放送局装置により送信され、
前記受信部は、前記取得部として機能し、前記第２の番組情報をさらに受信することにより前記第２の番組情報を取得する、請求項１記載の受信装置。
【請求項３】
前記第２の番組情報を入力するための入力装置をさらに備え、
前記取得部は、前記入力装置により入力された前記第２の番組情報を取得する、請求項１記載の受信装置。
【請求項４】
前記第２の番組情報は、インターネットに接続された所定のサーバに保存され、
前記取得部は、前記第２の番組情報をインターネットを通じて前記所定のサーバからダウンロードすることにより取得する、請求項１記載の受信装置。
【請求項５】
放送局装置により番組の内容を含む放送信号を送信し、受信装置により番組の内容を含む放送信号を受信する放送方法であって、
前記放送信号の送信日から一定期間内に放送されるべき全ての放送予定番組の編成は、前記放送信号の送信日以前に確定されており、
前記一定期間内の前記全ての放送予定番組の各々には、前記放送信号の送信日以前に、その放送予定番組を識別するための第１の番組識別子が付与されており、
前記一定期間よりも後に放送されるべきことが仮に決定されている放送予定番組の各々には、その放送予定番組を識別するための第２の番組識別子が付与されており、
前記放送方法は、
前記放送局装置において、前記放送信号を送信するステップと、
前記放送局装置において、前記第１の番組識別子および放送予定番組の編成に関する編成情報を含み、前記一定期間内の前記全ての放送予定番組の各々に関する第１の番組情報を生成するステップと、
前記放送局装置において、生成された第１の番組情報を送信するステップと、
前記放送局装置において、前記第２の番組識別子および放送予定番組の編成に関する編成情報を含み、かつ前記第１の番組識別子を含まず、前記仮に決定されている放送予定番組の各々に関する第２の番組情報を生成するステップと、
前記放送局装置において、時間の経過により、仮に決定されている放送予定番組の編成が確定されたときに、前記仮に決定されている放送予定番組に関する第２の番組情報に第１の番組識別子を追加するとともに、仮に決定されている放送予定番組に関する第２の番組情報に含まれる編成情報を確定された編成に関する編成情報に変更することにより第２の番組情報を第１の番組情報に変更するステップと、
前記放送局装置において、変更された第１の番組情報を送信するステップと、
前記受信装置において、前記放送局装置から送信された前記放送信号および前記放送局装置から送信された前記第１の番組情報を受信するステップと、
前記受信装置において、前記第２の番組情報を取得するステップと、
前記受信装置において、受信された前記第１の番組情報および取得された第２の番組情報を蓄積するステップと、
前記受信装置において、蓄積された第１の番組情報に基づいて前記一定期間内に放送されるべき放送予定番組の予約を行い、蓄積された第２の番組情報に基づいて前記仮に決定されている放送予定番組の予約を行うステップと、
前記受信装置において、前記一定期間内に放送されるべき放送予定番組が予約された場合に前記第１の番組情報を記憶し、前記仮に決定されている放送予定番組が予約された場合に前記第２の番組情報を記憶するステップと、
前記受信装置において、前記仮に決定されている放送予定番組が予約された後、時間の経過により、予約された放送予定番組に関する第２の番組情報に含まれる第２の番組識別子と同じ第２の番組識別子を含む第１の番組情報が受信された場合に、記憶された前記第２の番組情報を前記受信された第１の番組情報で置換するステップと、
前記受信装置において、記憶された前記第１の番組情報の第１の番組識別子に基づいて、予約された放送予定番組に対応する放送信号を出力するステップとを備える、放送方法。
【発明の詳細な説明】
【技術分野】
【０００１】
本発明は、受信装置および放送方法に関する。
【０００２】
放送システムは、放送局から番組の放送信号を送信する送信系としての放送局装置、および放送局装置により送信された放送信号を受信する受信系としての受信装置（例えば、テレビジョン受像機等）を含む。
【０００３】
デジタル放送システムにおいては、送信系から受信系に送信される放送信号に複数の情報を多重化することにより、視聴者の要望に応じた受信系の機能の多様化が図られている。
【０００４】
例えば、放送予定番組の情報を視聴者に提示するサービスが実用化されている。このサービスによれば、送信系において、放送予定番組の情報が電子番組ガイド（ＥＰＧ：Electric Program Guide ）データとして放送信号に多重化され、受信系に送信される。受信系においては、与えられた放送信号からＥＰＧデータが抽出され、放送予定番組の情報が視聴者に提示される。
【０００５】
このように、ＥＰＧデータを放送信号に多重化することにより、テレビジョン画面に放送予定番組の情報を表示することができる。これにより、視聴者は、表示された放送予定番組の情報に基づいて、所望の放送予定番組を指定し、その番組の予約を行うことができる。以下、視聴者が所望の放送予定番組の予約を行うことができる機能を番組予約機能と呼ぶ。
【０００６】
ここで、番組予約機能を備える文字放送受信装置がある（例えば、特許文献１参照）。この文字放送受信装置に用いられるＥＰＧデータにおいては、放送予定番組ごとに、「番組名」、「放送開始時刻」、「放送終了時刻」、「チャンネル」および「番組識別子」が関連付けされている。
【０００７】
「番組名」は関連付けされている放送予定番組の名称であり、「放送開始時刻」はその放送予定番組の開始予定時刻である。また、「放送終了時刻」はその放送予定番組の終了予定時刻であり、「チャンネル」はその放送予定番組が放映されるチャンネルである。「番組識別子」は、個々の放送予定番組および放送中の番組を識別するためのものである。
【０００８】
上記の文字放送受信装置には、ＥＰＧデータが入力され、入力されたＥＰＧデータは、随時バッファメモリに記憶される。視聴者が所望の放送予定番組（以下、指定番組と呼ぶ。）の予約を行った場合、バッファメモリに記憶されたＥＰＧデータのうち、その指定番組に関するＥＰＧデータが予約番組メモリに記憶される。すなわち、指定番組に関連付けられた「番組名」、「放送開始時刻」、「放送終了時刻」、「チャンネル」および「番組識別子」が予約番組メモリに記憶される。
【０００９】
そこで、文字放送受信装置のマイクロコンピュータは、予約番組メモリに記憶された指定番組の「放送開始時刻」と、タイマ回路により計測される現在の時刻とを比較する。マイクロコンピュータは、現在の時刻が指定番組の「放送開始時刻」に近づくと、指定番組の「チャンネル」を選局する。
【００１０】
そして、マイクロコンピュータは、継続してバッファメモリに記憶されるＥＰＧデータのうち、指定番組の「チャンネル」と一致する放送予定番組のＥＰＧデータを抽出する。さらに、マイクロコンピュータは、指定番組の「番組識別子」に基づいてそのＥＰＧデータの中から指定番組に関するＥＰＧデータを抽出する。
【００１１】
その後、マイクロコンピュータは、バッファメモリから抽出された指定番組のＥＰＧデータの「放送開始時刻」および「放送終了時刻」と、予約番組メモリに記憶された指定番組の「放送開始時刻」および「放送終了時刻」とを比較する。それにより、指定番組の「放送開始時刻」および「放送終了時刻」に変更があるか否かが判別される。
【００１２】
変更がない場合、予約番組メモリに記憶された指定番組の「放送開始時刻」および「放送終了時刻」に基づいて、その指定番組が録画される。一方、変更があった場合、予約番組メモリに記憶されている指定番組の「放送開始時刻」および「放送終了時刻」が、バッファメモリから抽出された指定番組のＥＰＧデータに基づいて変更される。
【００１３】
このように、特許文献１の文字放送受信装置においては、指定番組の予約後、実際に放送される指定番組の「放送開始時刻」および「放送終了時刻」が変更された場合に、予約番組メモリに記憶される指定番組の「放送開始時刻」および「放送終了時刻」が、随時入力されるＥＰＧデータの「番組識別子」に基づいて変更される。
【００１４】
なお、現在のデジタル放送システムにおいては、送信系から受信系にｐｆＥＩＴ（ present following Event Information Table ）データが送信されている。このｐｆＥＩＴデータは、現在放送中および次に放送される番組の情報を示すものである。ｐｆＥＩＴデータにおいても、現在放送中および次に放送される番組ごとに上述の「番組識別子」、「放送開始時刻」および「放送終了時刻」が関連付けされている。
【００１５】
送信系からｐｆＥＩＴデータが送信されている場合、上記の文字放送受信装置は、ｐｆＥＩＴデータの「番組識別子」を監視し、予約番組メモリに記憶された指定番組のＥＰＧデータとｐｆＥＩＴデータとを比較する。
【００１６】
そして、文字放送受信装置は、「番組識別子」に基づいて予約番組メモリに記憶された指定番組のＥＰＧデータと、その指定番組と同じ番組のｐｆＥＩＴデータを抽出する。そこで、文字放送受信装置は、指定番組の「放送開始時刻」および「放送終了時刻」に変更があるか否かを判別し、変更があった場合には、予約番組メモリに記憶された指定番組の「放送開始時刻」および「放送終了時刻」を変更する。
【００１７】
このように、上記の文字放送受信装置によれば、視聴者は、指定番組の放送時刻が指定番組の予約時点から実際の放送時までに変更された場合でも、確実に指定番組の録画を行うことができる。
【特許文献１】
特開２０００−５０２１６号公報
【発明の開示】
【発明が解決しようとする課題】
【００１８】
ところで、放送予定番組の情報を視聴者に提示するサービスの実用化に伴い、デジタル放送システムに使用される番組配列情報標準規格（ＳＴＤ−Ｂ１０）が社団法人電波産業会により策定されている。したがって、現在のデジタル放送システムにおいては、この標準規格に基づいて送信系からＥＰＧデータが送信されている。
【００１９】
上記の標準規格においては、送信系から受信系に送信されるＥＰＧデータの内容が、その送信時から一定期間分（例えば、一週間分）の放送予定番組に制限されている。
【００２０】
一方、放送局では、送信系によるＥＰＧデータの送信時から一定期間（一週間）よりも後の将来の放送予定番組（以下、将来番組と呼ぶ。）の編成が決定されている場合がある。
【００２１】
このような場合でも、上記の標準規格によれば、既に編成が決定された将来番組に関するＥＰＧデータが、送信系から受信系に送信されない。したがって、視聴者は、その将来番組を予約することができなかった。
【００２２】
このように、既に編成の決定された将来番組に関するＥＰＧデータが送信系から受信系に送信されないのは、以下の理由による。
【００２３】
上述のように、現在の番組予約機能においては、「番組識別子」を含むＥＰＧデータが送信系から受信系に送信される必要がある。ところが、現在の送信系の構成では、ＥＰＧデータの送信時から一定期間内の全ての放送予定番組の編成が決定されない場合に、「番組識別子」を個々の放送予定番組に関連付けすることができない。
【００２４】
すなわち、既に編成の決定された将来番組が存在しても、ＥＰＧデータの送信時から一定期間よりも後の将来においては、全ての将来番組の編成が決定されることがないので、「番組識別子」を個々の放送予定番組に関連付けすることができない。したがって、将来番組に関する「番組識別子」が送信系から受信系に送信されることはない。その結果、視聴者は将来番組の予約を行うことができない。
【００２５】
本発明の目的は、放送信号の送信時から一定期間内の放送予定番組だけでなく、放送信号の送信時から一定期間よりも後の放送予定番組も予約することができる受信装置および放送方法を提供することである。
【課題を解決するための手段】
【００４７】
（１）第１の発明に係る受信装置は、放送局装置から送信された番組の内容を含む放送信号を受信する受信装置であって、放送信号の送信日から一定期間内に放送されるべき全ての放送予定番組の編成は、放送信号の送信日以前に確定されており、一定期間内の全ての放送予定番組の各々には、放送信号の送信日以前に、その放送予定番組を識別するための第１の番組識別子が付与されており、一定期間よりも後に放送されるべきことが仮に決定されている放送予定番組の各々には、その放送予定番組を識別するための第２の番組識別子が付与されており、放送局装置により、一定期間内の全ての放送予定番組の各々に関する第１の番組情報が生成されるとともに、仮に決定されている放送予定番組の各々に関する第２の番組情報が生成され、第１の番組情報は、第１の番組識別子および放送予定番組の編成に関する編成情報を含み、放送局装置から送信され、第２の番組情報は、第２の番組識別子および放送予定番組の編成に関する編成情報を含み、かつ第１の番組識別子を含まず、時間の経過により、仮に決定されている放送予定番組の編成が確定されたときに、仮に決定されている放送予定番組に関する第２の番組情報に第１の番組識別子が追加されるとともに、仮に決定されている放送予定番組に関する第２の番組情報に含まれる編成情報が確定された編成に関する編成情報に変更されることにより第２の番組情報が第１の番組情報に変更され、変更された第１の番組情報が放送局装置から送信され、受信装置は、放送局装置から送信された放送信号および放送局装置から送信された第１の番組情報を受信する受信部と、第２の番組情報を取得する取得部と、受信部により受信された第１の番組情報および取得部により取得された第２の番組情報を蓄積する蓄積部と、蓄積部に蓄積された第１の番組情報に基づいて一定期間内に放送されるべき放送予定番組の予約を行うこと、および蓄積部に蓄積された第２の番組情報に基づいて仮に決定されている放送予定番組の予約を行うことが可能に構成された予約部と、予約部により一定期間内に放送されるべき放送予定番組が予約された場合に第１の番組情報を記憶し、予約部により仮に決定されている放送予定番組が予約された場合に第２の番組情報を記憶する記憶部と、予約部により仮に決定されている放送予定番組が予約された後、時間の経過により、予約された放送予定番組に関する第２の番組情報に含まれる第２の番組識別子と同じ第２の番組識別子を含む第１の番組情報が受信された場合に、記憶部に記憶された第２の番組情報を受信された第１の番組情報で置換する置換部と、記憶部に記憶された第１の番組情報の第１の番組識別子に基づいて、予約部により予約された放送予定番組に対応する放送信号を出力する出力部とを備えるものである。
【００４８】
この受信装置においては、放送信号および第１の番組情報が受信部により受信され、第２の番組情報が取得部により取得され、受信部により受信された第１の番組情報および取得部により取得された第２の番組情報が蓄積部により蓄積される。
【００４９】
そこで、蓄積部に蓄積された第１の番組情報により放送予定番組の予約が可能でかつ蓄積部に蓄積された第２の番組情報により放送予定番組の予約が可能に構成された予約部により放送予定番組の予約が行われる。
予約部により一定期間内に放送されるべき放送予定番組が予約された場合に第１の番組情報が記憶部に記憶され、予約部により仮に決定されている放送予定番組が予約された場合に第２の番組情報が記憶部に記憶される。
予約部により仮に決定されている放送予定番組が予約された後、時間の経過により、予約された放送予定番組に関する第２の番組情報に含まれる第２の番組識別子と同じ第２の番組識別子を含む第１の番組情報が受信された場合に、記憶部に記憶された第２の番組情報が受信された第１の番組情報で置換部により置換される。
記憶部に記憶された第１の番組情報の第１の番組識別子に基づいて、予約部により予約された放送予定番組に対応する放送信号が出力部により出力される。
【００５０】
これにより、視聴者は、放送信号の送信時から一定期間内の放送予定番組だけでなく、放送信号の送信時から一定期間よりも後の放送予定番組も予約することができる。また、視聴者は、出力される放送信号に基づいて当該放送予定番組に対応する番組を視聴または録画することができる。
【００５１】
（２）第２の番組情報は、放送局装置により送信され、受信部は、取得部として機能し、第２の番組情報をさらに受信することにより第２の番組情報を取得してもよい。この場合、第２の番組情報が、放送局装置により送信される。そして、放送局装置により送信された第２の番組情報が、受信部により受信される。これにより、第２の番組情報の取得が確実に行われる。
【００５２】
（３）第２の番組情報を入力するための入力装置をさらに備え、取得部は、入力装置により入力された第２の番組情報を取得してもよい。この場合、入力装置により入力された第２の番組情報が、取得部により取得される。これにより、第２の番組情報の取得が確実に行われる。
【００５３】
（４）第２の番組情報は、インターネットに接続された所定のサーバに保存され、取得部は、第２の番組情報をインターネットを通じて所定のサーバからダウンロードすることにより取得してもよい。この場合、第２の番組情報が、取得部によりインターネットを通じて所定のサーバからダウンロードされる。これにより、第２の番組情報の取得が確実に行われる。
【００７８】
（５）第２の発明に係る放送方法は、放送局装置により番組の内容を含む放送信号を送信し、受信装置により番組の内容を含む放送信号を受信する放送方法であって、放送信号の送信日から一定期間内に放送されるべき全ての放送予定番組の編成は、放送信号の送信日以前に確定されており、一定期間内の全ての放送予定番組の各々には、放送信号の送信日以前に、その放送予定番組を識別するための第１の番組識別子が付与されており、一定期間よりも後に放送されるべきことが仮に決定されている放送予定番組の各々には、その放送予定番組を識別するための第２の番組識別子が付与されており、放送方法は、放送局装置において、放送信号を送信するステップと、放送局装置において、第１の番組識別子および放送予定番組の編成に関する編成情報を含み、一定期間内の全ての放送予定番組の各々に関する第１の番組情報を生成するステップと、放送局装置において、生成された第１の番組情報を送信するステップと、放送局装置において、第２の番組識別子および放送予定番組の編成に関する編成情報を含み、かつ第１の番組識別子を含まず、仮に決定されている放送予定番組の各々に関する第２の番組情報を生成するステップと、放送局装置において、時間の経過により、仮に決定されている放送予定番組の編成が確定されたときに、仮に決定されている放送予定番組に関する第２の番組情報に第１の番組識別子を追加するとともに、仮に決定されている放送予定番組に関する第２の番組情報に含まれる編成情報を確定された編成に関する編成情報に変更することにより第２の番組情報を第１の番組情報に変更するステップと、放送局装置において、変更された第１の番組情報を送信するステップと、受信装置において、放送局装置から送信された放送信号および放送局装置から送信された第１の番組情報を受信するステップと、受信装置において、第２の番組情報を取得するステップと、受信装置において、受信された第１の番組情報および取得された第２の番組情報を蓄積するステップと、受信装置において、蓄積された第１の番組情報に基づいて一定期間内に放送されるべき放送予定番組の予約を行い、蓄積された第２の番組情報に基づいて仮に決定されている放送予定番組の予約を行うステップと、受信装置において、一定期間内に放送されるべき放送予定番組が予約された場合に第１の番組情報を記憶し、仮に決定されている放送予定番組が予約された場合に第２の番組情報を記憶するステップと、受信装置において、仮に決定されている放送予定番組が予約された後、時間の経過により、予約された放送予定番組に関する第２の番組情報に含まれる第２の番組識別子と同じ第２の番組識別子を含む第１の番組情報が受信された場合に、記憶された第２の番組情報を受信された第１の番組情報で置換するステップと、受信装置において、記憶された第１の番組情報の第１の番組識別子に基づいて、予約された放送予定番組に対応する放送信号を出力するステップとを備えるものである。
【００７９】
この放送方法によれば、放送局装置において、放送信号の送信時から一定期間内の放送予定番組に関する第１の番組情報および放送信号の送信時から一定期間よりも後の放送予定番組に関する第２の番組情報が、生成される。そして、生成された第１の番組情報が、放送信号とともに送信される。
【００８０】
そして、受信装置において、放送信号および第１の番組情報が受信され、第２の番組情報が取得され、受信された第１の番組情報および取得された第２の番組情報が蓄積される。
【００８１】
そこで、蓄積された第１の番組情報により一定期間内に放送されるべき放送予定番組が予約され、蓄積された第２の番組情報により仮に決定されている放送予定番組が予約される。
一定期間内に放送されるべき放送予定番組が予約された場合に第１の番組情報が記憶され、仮に決定されている放送予定番組が予約された場合に第２の番組情報が記憶される。
仮に決定されている放送予定番組が予約された後、時間の経過により、予約された放送予定番組に関する第２の番組情報に含まれる第２の番組識別子と同じ第２の番組識別子を含む第１の番組情報が受信された場合に、記憶された第２の番組情報が受信された第１の番組情報で置換される。
記憶された第１の番組情報の第１の番組識別子に基づいて、予約された放送予定番組に対応する放送信号が出力される。
【００８２】
これにより、視聴者は、放送信号の送信時から一定期間内の放送予定番組だけでなく、放送信号の送信時から一定期間よりも後の放送予定番組も予約することができる。また、視聴者は、出力される放送信号に基づいて当該放送予定番組に対応する番組を視聴または録画することができる。
【００８７】
本発明に係る受信装置および放送方法によれば、視聴者は、放送信号の送信時から一定期間内の放送予定番組だけでなく、放送信号の送信時から一定期間よりも後の放送予定番組も予約することができる。
【００８８】
以下、本発明の一実施の形態に係る受信装置および放送方法について説明する。
【００８９】
（１）  第１の実施の形態
（ａ）  放送システムの構成
第１の実施の形態に係る放送システムについて説明する。図１は、第１の実施の形態に係る放送システムの構成を示すブロック図である。図１に示すように、本実施の形態に係る放送システム１は放送局装置１０、衛星２０および受信装置３０を含む。
【００９０】
放送局装置１０は、映像素材蓄積部１１、音声素材蓄積部１２、データ素材蓄積部１３、第１の番組情報蓄積部１４、第２の番組情報蓄積部１５、放送制御部１６、放送情報作成装置１７、多重化部１８およびデジタル放送送信アンテナ１９を備える。
【００９１】
映像素材蓄積部１１には映像に関する素材が蓄積されている。また、音声素材蓄積部１２には音声に関する素材が蓄積され、データ素材蓄積部１３にはデータ（例えば、文字データ）に関する素材が蓄積されている。
【００９２】
放送情報作成装置１７は、後述の複数の第１の番組情報および第２の番組情報を作成する。放送制御部１６は、放送情報作成装置１７により作成される複数の第１および第２の番組情報を、第１の番組情報蓄積部１４および第２の番組情報蓄積部１５にそれぞれ蓄積する。
【００９３】
ここで、本実施の形態において、映像素材蓄積部１１、音声素材蓄積部１２、データ素材蓄積部１３、第１の番組情報蓄積部１４および第２の番組情報蓄積部１５は、例えばハードディスク等の記憶装置である。放送制御部１６は、例えばＣＰＵ（中央演算処理装置）である。また、放送情報作成装置１７は、例えばキーボードである。
【００９４】
多重化部１８は、映像、音声およびデータに関する素材ならびに複数の第１および第２の番組情報を、放送信号として多重化する。それにより、放送信号が電波として、デジタル放送送信アンテナ１９および衛星２０を通じて受信装置３０に送信される。本実施の形態において、放送信号は、例えば、ＭＰＥＧ（ Motion Picture Experts Group ）の標準規格に基づくデジタルデータにより構成されている。
【００９５】
受信装置３０は、デジタル放送受信アンテナ３１、復号部３２、制御部３３、第１の番組情報蓄積部３４、第２の番組情報蓄積部３５、予約情報記憶部３６、番組出力装置３７および操作装置３８を備える。また、制御部３３は、予約監視部３３１、計時部３３２、予約更新部３３３、予約設定部３３４および選局部３３５を備える。本実施の形態において、受信装置３０はテレビジョン受像機である。
【００９６】
放送局装置１０から送信された放送信号は、受信装置３０のデジタル放送受信アンテナ３１により受信される。受信された放送信号は、復号部３２により復号化される。それにより、映像、音声およびデータに関する素材ならびに複数の第１および第２の番組情報がそれぞれ分離される。制御部３３は、複数の第１および第２の番組情報を、第１の番組情報蓄積部３４および第２の番組情報蓄積部３５にそれぞれ蓄積する。
【００９７】
本実施の形態に係る放送システム１によれば、視聴者は所望の放送予定番組の視聴または録画の予約を行うことができる。制御部３３は、放送予定番組が予約された場合に、予約された放送予定番組に関する情報を予約情報記憶部３６に記憶させる。制御部３３の各構成部の動作は後述する。
【００９８】
ここで、本実施の形態において、第１の番組情報蓄積部３４、第２の番組情報蓄積部３５、予約情報記憶部３６は、例えばハードディスク等の記憶装置である。制御部３３は、例えばＣＵＰ（中央演算処理装置）である。
【００９９】
また、操作装置３８はリモートコントローラであり、番組出力装置３７は、陰極線管、液晶ディスプレイパネルまたはプラズマディスプレイパネル等の表示装置である。
【０１００】
（ｂ）  第１および第２の番組情報の詳細
本実施の形態に係る放送システム１において、複数の第１および第２の番組情報の各々は、放送予定番組に関する情報である。したがって、第１および第２の番組情報の内容は、放送信号の送信日の経過とともに変化する。以下、第１および第２の番組情報の詳細を、一例として、５月１日および５月２日における第１および第２の番組情報に基づき説明する。
【０１０１】
図２および図３は、第１の実施の形態に係る放送システム１において放送信号の送信日の経過とともに変化する第１および第２の番組情報の一例を示す図である。
【０１０２】
図２ａに５月１日における第１の番組情報の一例が示され、図２ｂに５月１日における第２の番組情報の一例が示されている。図３ａに５月２日における第１の番組情報の一例が示され、図３ｂに５月２日における第２の番組情報の一例が示されている。
【０１０３】
本実施の形態において、第１の番組情報とは、放送局装置１０による放送信号の送信日から一定期間内の個々の放送予定番組の情報である。本例では、放送信号の送信日から８日間分の全ての放送予定番組の編成が、その放送信号の送信日前に決定されるものとする。以下、放送信号の送信日から一定期間内の編成が決定された放送予定番組を、確定番組と呼ぶ。
【０１０４】
図２ａおよび図３ａに示すように、第１の番組情報においては、確定番組に、「番組識別子」、「チャンネル」、「放送開始時刻」、「番組名」および「ジャンル」が関連付けされている。
【０１０５】
「番組名」は各確定番組の名称であり、「放送開始時刻」はその確定番組の開始予定時刻である。また、「チャンネル」はその確定番組が放映されるチャンネルであり、「ジャンル」はその確定番組の分類を示す。「番組識別子」はその確定番組を識別するための番号である。「番組識別子」は「チャンネル」ごとの複数の確定番組の各々に対して、「放送開始時刻」の早い順に連続する番号が付与される。
【０１０６】
また、放送信号の送信日から一定期間よりも後の将来の放送予定番組のうち、編成が決定された放送予定番組を、将来番組と呼ぶ。
【０１０７】
本実施の形態において、第２の番組情報とは、個々の将来番組の情報である。図２ｂおよび図３ｂに示すように、第２の番組情報においては、将来番組ごとに、「チャンネル」、「放送開始時刻」および「番組名」が関連付けされている。このように、第２の番組情報においては、個々の将来番組に「番組識別子」が付与されていない。
【０１０８】
ここで、上述のように、第１および第２の番組情報の内容は放送信号の送信日の経過とともに変化する。すなわち、５月１日の時点では５月１日から５月８日までの個々の確定番組の情報が第１の番組情報となる（図２ａ参照）が、５月２日の時点では５月２日から５月９日までの個々の確定番組の情報が第２の番組情報となる（図３ａ参照）。
【０１０９】
また、５月１日の時点では５月９日以降の個々の将来番組の情報が第２の番組情報となるが（図２ｂ参照）が、５月２日の時点では５月１０日以降の個々の将来番組の情報が第２の番組情報となる（図３ｂ参照）。
【０１１０】
これにより、図２ｂおよび図３ｂに示すように、５月１日の時点で第２の番組情報である５月９日の将来番組の情報（例えば、図２ｂ矢印Ｙ参照）は、５月２日の時点で確定番組の情報（例えば、図３ａ矢印Ｚ参照）として第１の番組情報となる。
【０１１１】
なお、本実施の形態においては、複数の第１および第２の番組情報が放送情報作成装置１７により作成され、受信装置３０に送信されるとしているが、放送情報作成装置１７が作成する第１の番組情報は１つであってもよいし、放送情報作成装置１７が作成する第２の番組情報も１つであってもよい。
【０１１２】
また、本実施の形態においては、第１および第２の番組情報の内容は、放送信号の送信日の経過とともに変化するとしているが、第１および第２の番組情報の内容は、それら第１および第２の番組情報の内容に変更が生じるごとに送信されてもよい。
【０１１３】
（ｃ）  第１および第２の番組情報の送信方法
上述のように、複数の第１および第２の番組情報の各々は、図１の多重化部１８により放送信号として多重化され、放送局装置１０から受信装置３０に送信される。この場合、上記の放送信号には、第１の番組情報が第１のパケットとして多重化され、第２の番組情報が第２のパケットとして多重化される。
【０１１４】
図４は、第１の実施の形態において放送信号に多重化される第１および第２のパケットの構成例を示す図である。図４ａに第１のパケットＰＡ１が示され、図４ｂに第２のパケットＰＡ２が示されている。
【０１１５】
図４ａの第１のパケットＰＡ１は、「第１のフラグ」、「番組識別子」、「チャンネル」、「放送開始時刻」、「番組名」および「ジャンル」を順に含む。
【０１１６】
また、図４ｂの第２のパケットＰＡ２は、「第２のフラグ」、「チャンネル」、「放送開始時刻」および「番組名」を順に含む。
【０１１７】
上記の「第１のフラグ」は、後続する情報が第１の番組情報であることを示す。「第２のフラグ」は、後続する情報が第２の番組情報であることを示す。これにより、受信装置３０は、「第１のフラグ」および「第２のフラグ」により、放送信号中の第１および第２の番組情報を識別することができる。
【０１１８】
（ｄ）  確定番組および将来番組の予約時における受信装置の制御部の動作
図１の受信装置３０の制御部３３の動作を図１〜図７に基づき説明する。図５および図６は、確定番組および将来番組の予約時における制御部３３の動作を示すフローチャートである。
【０１１９】
（ｄ−１）  ステップＳ１０１
初めに、受信装置３０の制御部３３（図１）は、受信された放送信号から、「第１のフラグ」および「第２のフラグ」に基づいて第１および第２の番組情報を識別し、抽出する。これにより、制御部３３は、第１および第２の番組情報をそれぞれ図１の第１の番組情報蓄積部３４および第２の番組情報蓄積部３５に蓄積する（ステップＳ１０１）。
【０１２０】
（ｄ−２）  ステップＳ１０１の具体例
例えば、放送信号の送信日が５月１日の場合、図２ａに示される複数の第１の番組情報（確定番組の情報）が第１の番組情報蓄積部３４に蓄積される。また、図２ｂに示される複数の第２の番組情報（将来番組の情報）が第２の番組情報蓄積部３５に蓄積される。
【０１２１】
一方、放送信号の送信日が５月２日の場合、図３ａに示される複数の第１の番組情報が第１の番組情報蓄積部３４に蓄積される。また、図３ｂに示される複数の第２の番組情報が第２の番組情報蓄積部３５に蓄積される。
【０１２２】
（ｄ−３）  ステップＳ１０２
次に、制御部３３は、操作装置３８から放送予定番組の予約を行う旨の信号を受信したか否かを判別する（ステップＳ１０２）。制御部３３は、放送予定番組の予約を行う旨の信号を受信しない場合、ステップＳ１０１，Ｓ１０２の動作を繰り返す。
【０１２３】
（ｄ−４）  ステップＳ１０３
一方、制御部３３は、放送予定番組の予約を行う旨の信号を受信した場合、第１の番組情報蓄積部３４および第２の番組情報蓄積部３５に蓄積されている複数の第１および第２の番組情報を図１の番組出力装置３７へ出力する。これにより、制御部３３は番組出力装置３７により複数の第１および第２の番組情報を視聴者に提示する（ステップＳ１０３）。
【０１２４】
すなわち、番組出力装置３７は、複数の第１および第２の番組情報が入力されることにより、複数の第１および第２の番組情報を視聴者に提示する。これにより、視聴者は第１および第２の番組情報を確認することができる。
【０１２５】
（ｄ−５）  ステップＳ１０３の具体例
例えば、５月１日時点において、視聴者が確定番組の予約を行う際には、図２ａに示す複数の第１の番組情報（確定番組の情報）が番組出力装置３７により視聴者に提示される。提示方法の具体例については後述する。
【０１２６】
また、５月１日時点において、視聴者が将来番組の予約を行う際には、図２ｂに示す複数の第２の番組情報（将来番組の情報）が番組出力装置３７により視聴者に提示される。提示方法の具体例については後述する。
【０１２７】
（ｄ−６）  ステップＳ１０４
続いて、制御部３３は、提示された複数の第１および第２の番組情報から放送予定番組が、操作装置３８により選択されたか否かを判別する（ステップＳ１０４）。
【０１２８】
（ｄ−７）  ステップＳ１０４の具体例
例えば、５月１日時点において、視聴者は図２ａに示す複数の確定番組から放送予定番組を選択することができる。また、５月１日時点において、視聴者は図２ｂに示す複数の将来番組から放送予定番組を選択することができる。
【０１２９】
（ｄ−８）  ステップＳ１０５
制御部３３は、放送予定番組が選択された場合、選択された放送予定番組の予約動作を行う。すなわち、制御部３３の予約設定部３３４（図１）は、複数の第１および第２の番組情報から選択された放送予定番組の情報を抽出し、図１の予約情報記憶部３６に記憶する（ステップＳ１０５）。以下、予約された放送予定番組を予約番組と呼ぶ。
【０１３０】
（ｄ−９）  ステップＳ１０５の具体例
例えば、５月１日時点において、確定番組「古代の人々」（図２ａ矢印Ｘ参照）が選択された場合には、当該確定番組に関連付けされた「番組名：古代の人々」、「放送開始時刻：５月８日２０時００分」、「チャンネル：１００」、「ジャンル：ドキュメンタリー・報道」および「番組識別子：２１２９」からなる第１の番組情報が予約番組の情報として、第１のフラグとともに予約情報記憶部３６に記憶される。
【０１３１】
また、５月１日時点において、将来番組「ワールドカップスポーツ中継」（図２ｂ矢印Ｙ参照）が選択された場合には、当該将来番組に関連付けされた「番組名：ワールドカップスポーツ中継」、「放送開始時刻：５月９日２０時００分」および「チャンネル：１００」からなる第２の番組情報が予約番組の情報として、第２のフラグとともに予約情報記憶部３６に記憶される。
【０１３２】
（ｄ−１０）  ステップＳ１０６
その後、制御部３３の予約更新部３３３（図１）は、予約情報記憶部３６に記憶された予約番組の情報が第１の番組情報であるか否かを判別する（ステップＳ１０６）。
【０１３３】
この判別動作は、予約更新部３３３が、予約番組の情報に含まれる第１または第２のフラグに基づいて行われる。これにより、予約番組が確定番組および将来番組のいずれであるかが判別される。
【０１３４】
なお、予約更新部３３３は、予約番組の情報に「番組識別子」があるか否かに基づいてこの判別動作を行ってもよい。この場合、「番組識別子」を含む予約番組の情報が、確定番組の情報と判別される。また、「番組識別子」を含まない予約番組の情報が、将来番組の情報と判別される。
【０１３５】
（ｄ−１１）  ｐｆＥＩＴデータの説明
ここで、本実施の形態に係る放送システム１においては、放送局装置１０から受信装置３０に放送イベント情報テーブル（ｐｆＥＩＴ： present following Event Information Table）データが随時送信されている。このｐｆＥＩＴデータは、現在放送中の番組および次に放送される番組の情報を示すものである。
【０１３６】
ｐｆＥＩＴデータにおいては、現在放送中の番組および次に放送される番組ごとに、「チャンネル」、「放送開始時刻」および「番組識別子」が関連付けされている。
【０１３７】
（ｄ−１２）  ステップＳ１０７
制御部３３の予約監視部３３１（図１）は、予約番組の情報が第１の番組情報（確定番組の情報）である場合、予約番組の情報（「番組名」、「放送開始時刻」、「チャンネル」、「ジャンル」および「番組識別子」等）に基づいてｐｆＥＩＴデータを監視し、予約番組に関するｐｆＥＩＴデータを抽出する（ステップＳ１０７）。
【０１３８】
この場合、予約監視部３３１は、予約情報記憶部３６に記憶された予約番組の「チャンネル」および「番組識別子」と同じ「チャンネル」および「番組識別子」を含むｐｆＥＩＴデータが受信されたか否かを監視する。これにより、予約監視部３３１は、予約番組の情報を含むｐｆＥＩＴデータを抽出する。
【０１３９】
（ｄ−１３）  ステップＳ１０７の具体例
例えば、５月１日時点において、５月８日放送の確定番組「古代の人々」（図２ａ矢印Ｘ参照）の情報が予約番組の情報として予約情報記憶部３６に記憶される場合、予約監視部３３１は、その「放送開始時刻：５月８日２０時００分」および「番組識別子：２１２９」を含むｐｆＥＩＴデータを抽出する。
【０１４０】
（ｄ−１４）  ステップＳ１０８
そこで、予約監視部３３１は、予約情報記憶部３６に記憶された予約番組の「放送開始時刻」と、ｐｆＥＩＴデータに含まれる予約番組の「放送開始時刻」とが一致するか否かを判別する。
【０１４１】
換言すれば、実際の放送時における予約番組の「放送開始時刻」が、予約時に設定されている予約番組の「放送開始時刻」から変更されたか否かを判別する（ステップＳ１０８）。
【０１４２】
（ｄ−１５）  ステップＳ１０９
制御部３３の予約監視部３３１は、予約番組の「放送開始時刻」が変更された場合、予約情報記憶部３６に記憶されている予約番組の情報のうち、「放送開始時刻」をｐｆＥＩＴデータに含まれる予約番組の「放送開始時刻」により更新する（ステップＳ１０９）。一方、予約監視部３３１は、予約番組の「放送開始時刻」が変更されていない場合、予約情報記憶部３６に記憶されている予約番組の情報を維持する。
【０１４３】
（ｄ−１６）  ステップＳ１１０
最後に、制御部３３の選局部３３５は、計時部３３２（図１）により計測される現在の時刻に基づいて、予約番組の「放送開始時刻」に予約番組の「チャンネル」を選局する（ステップＳ１１０）。それにより、放送中の予約番組が番組出力装置３７により再生される。
【０１４４】
上記ステップＳ１０７〜Ｓ１０９の動作によれば、予約番組の「放送開始時刻」がその予約時点から実際の放送時までに変更された場合でも、変更された「放送開始時刻」に応じて予約番組の予約動作が確実に実行される。
【０１４５】
（ｄ−１７）  ステップＳ２００
上記ステップＳ１０６において、制御部３３の予約更新部３３３（図１）は、予約番組の情報が第２の番組情報（将来番組の情報）である場合、以下に説明する番組情報更新処理を行う（ステップＳ２００）。
【０１４６】
（ｄ−１８）  ステップＳ２０１
図７は、図１の制御部３３による番組情報更新処理のフローチャートである。図７に示すように、制御部３３は、上記ステップＳ１０１の動作と同様に、新たに受信される複数の第１および第２の番組情報をそれぞれ第１の番組情報蓄積部３４および第２の番組情報蓄積部３５に蓄積する（ステップＳ２０１）。
【０１４７】
（ｄ−１９）  ステップＳ２０１の具体例
ここでは、５月１日時点での将来番組「ワールドカップスポーツ中継」（図２ｂ矢印Ｙ参照）と、５月２日時点での確定番組「番組名：特番ワールドカップスポーツ中継」（図３ａ矢印Ｚ参照）とが同一内容の番組であるものとする。
【０１４８】
この場合、５月１日時点において、将来番組「ワールドカップスポーツ中継」の情報（「番組名：ワールドカップスポーツ中継」、「放送開始時刻：５月９日２０時００分」および「チャンネル：１００」）が、制御部３３のステップＳ１０１の動作により第２の番組情報として第２の番組情報蓄積部３５に記憶される。
【０１４９】
その後、５月２日時点においては、新たに受信された確定番組「特番ワールドカップスポーツ中継」の情報（「番組名：特番ワールドカップスポーツ中継」、「放送開始時刻：５月９日２０時００分」、「チャンネル：１００」、「ジャンル：スポーツ」および「番組識別子：２１５８」）が、制御部３３のステップＳ２０１の動作により第１の番組情報として第１の番組情報蓄積部３４に記憶される。
【０１５０】
（ｄ−２０）  ステップＳ２０２
次に、制御部３３の予約更新部３３３（図１）は、予約番組の情報と放送局装置１０から新たに受信した複数の第１の番組情報とを比較する（ステップＳ２０２）。
【０１５１】
（ｄ−２１）  ステップＳ２０２の具体例
本例では、予約更新部３３３は、５月２日に新たに第１の番組情報蓄積部３４に蓄積された複数の第１の番組情報（確定番組の情報）と、５月１日に予約情報記憶部３６に記憶された予約番組の情報とを比較する。
【０１５２】
（ｄ−２２）  ステップＳ２０３
続いて、予約更新部３３３は、新たに受信された複数の第１の番組情報の中に、予約情報記憶部３６に記憶された予約番組の情報と一致する第１の番組情報があるか否かを判別する（ステップＳ２０３）。
【０１５３】
この判別動作は、予約番組に関連付けされた「放送開始時刻」、「チャンネル」および「番組名」と、新た受信された第１の番組情報において確定番組に関連付けされた「放送開始時刻」、「チャンネル」および「番組名」とを比較することにより行われる。
【０１５４】
すなわち、予約更新部３３３は、新たに受信された複数の第１の番組情報の中に、予約情報記憶部３６に記憶されている予約番組の情報と「放送開始時刻」および「チャンネル」が一致し、「番組名」の少なくとも一部が一致する確定番組の情報が存在するか否かを判別する。
【０１５５】
これにより、予約更新部３３３は、当該確定番組の情報が新たに受信された複数の第１の番組情報の中に存在する場合に、当該第１の番組情報に係る確定番組が予約番組と同一であるとみなす。
【０１５６】
（ｄ−２３）  ステップＳ２０３の具体例
本例では、予約情報記憶部３６に記憶されている「番組名：ワールドカップスポーツ中継」、「放送開始時刻：５月９日２０時００分」および「チャンネル：１００」が関連付けされた予約番組と、５月２日時点の第１の番組情報において「番組名：特番ワールドカップスポーツ中継」、「放送開始時刻：５月９日２０時００分」および「チャンネル：１００」が関連付けされた確定番組（図３ａ矢印Ｚ参照）とが、同一であるとみなされる。
【０１５７】
（ｄ−２４）  ステップＳ２０４
制御部３３の予約更新部３３３は、予約番組の情報と一致する第１の番組情報がある場合、当該第１の番組情報に基づいて予約情報記憶部３６に記憶された予約番組の情報を更新する（ステップＳ２０４）。その後、制御部３３の予約監視部３３１が、上記ステップＳ１０７の動作を行う。
【０１５８】
一方、制御部３３は、予約番組の情報と一致する第１の番組情報がない場合、ステップＳ２０１〜Ｓ２０３の動作を繰り返す。
【０１５９】
（ｄ−２５）  ステップＳ２０４の具体例
本例では、予約更新部３３３は、予約情報記憶部３６に記憶された予約番組の情報を、「番組名」、「放送開始時刻」、「チャンネル」、「ジャンル」および「番組識別子」からなる第１の番組情報により更新する。
【０１６０】
それにより、５月２日においては、５月１日時点で予約情報記憶部３６に記憶された第２の番組情報に基づく予約番組の情報が、予約番組の情報と一致する第１の番組情報に基づいて「番組名：特番ワールドカップスポーツ中継」、「放送開始時刻：５月９日２０時００分」、「チャンネル：１００」、「ジャンル：スポーツ」および「番組識別子：２１５８」により更新される（図３ａ矢印Ｚ参照）。
【０１６１】
（ｄ−２６）  効果
このように、本実施の形態に係る放送システム１においては、複数の第２の番組情報が放送局装置１０から受信装置３０に送信されるので、視聴者は放送信号の送信日から一定期間内の確定番組だけでなく、放送信号の送信日から一定期間よりも後の将来番組を予約することができる。
【０１６２】
（ｄ−２７）  他の変形例
なお、本実施の形態において、制御部３３は、ステップＳ１０７において、ｐｆＥＩＴデータを監視しているが、制御部３３は放送局装置１０から継続して受信される第１の番組情報を監視してもよい。
【０１６３】
この場合、制御部３３（予約監視部３３１）は、予約情報記憶部３６に記憶される予約番組の「放送開始時刻」と、計時部３３２により計測される現在の時刻とを比較する。それにより、制御部３３は、現在の時刻が予約番組の「放送開始時刻」に近づく（例えば、１分前）ことにより、予約番組の「チャンネル」を選局する。
【０１６４】
そして、制御部３３は、継続して受信される複数の第１の番組情報のうち、予約番組と「チャンネル」が一致する第１の番組情報（確定番組の情報）を抽出する。また、制御部３３は、予約番組の「番組識別子」に基づいて、抽出された第１の番組情報の中からさらに予約番組と「番組識別子」が一致する第１の番組情報を抽出する。
【０１６５】
これにより、制御部３３は、ステップＳ１０８と同様に、その予約番組の「放送開始時刻」に変更があるか否かを判別する。制御部３３は、予約番組の「放送開始時刻」に変更がある場合、予約情報記憶部３６に記憶されている予約番組の情報のうち、「放送開始時刻」を、抽出された第１の番組情報の「放送開始時刻」により更新する。
【０１６６】
一方、制御部３３は、予約番組の「放送開始時刻」に変更がない場合、予約情報記憶部３６に記憶されている予約番組の「放送開始時刻」を維持する。
【０１６７】
ステップＳ１１０における制御部３３の動作は上記に限られない。例えば、受信装置３０が、ビデオテープ、ＤＶＤ（デジタルバーサタイルディスク）およびＨＤ（ハードディスク）等の記録媒体に情報を記憶させる記憶装置を備える場合、制御部３３は予約番組の「放送開始時刻」に当該予約番組を記録媒体に録画してもよい。
【０１６８】
（ｅ）  視聴者による将来番組の予約手順および画面例
本実施の形態に係る放送システム１において、視聴者が将来番組を予約する場合の予約手順について説明する。
【０１６９】
図８は、第１の実施の形態に係る放送システム１において、視聴者が将来番組を予約する場合の予約手順を示すフローチャートである。また、図９〜図１６は、視聴者による将来番組の予約時に図１の番組出力装置３７に表示される画像の一例を示す図である。
【０１７０】
将来番組の予約を行う場合、視聴者は、図１の操作装置３８を操作することにより、受信装置３０の種々の機能を表示するメニュー画面を番組出力装置３７に表示させる。図９にメニュー画面の一例が示されている。
【０１７１】
図９の例では、メニュー画面Ｖ１に、「放送日時から番組を探す」、「ジャンルから番組を探す」および「インフォメーション」の３つの機能選択ボタンＢ１，Ｂ２，Ｂ３が表示されている。
【０１７２】
機能選択ボタンＢ１，Ｂ２，Ｂ３は、それぞれ放送日時に基づいて将来番組を検索する機能、ジャンルに基づいて将来番組を検索する機能および視聴者へのインフォメーションを表示する機能に対応している。
【０１７３】
視聴者は、操作装置３８を操作することにより、３つの機能選択ボタンＢ１〜Ｂ３のうちのいずれか１つを選択する（ステップＰ１）。なお、図９に示すように、機能選択ボタンＢ１〜Ｂ３の選択時には、選択された機能選択ボタンＢ１がハイライト表示される。
【０１７４】
視聴者が、機能選択ボタンＢ１を選択した場合、番組出力装置３７に日時検索画面が表示される。図１０に日時検索画面の一例が示されている。そこで、視聴者は日時検索画面Ｖ２により所望の将来番組の検索を行う（ステップＰ１０）。
【０１７５】
日時検索画面Ｖ２の一例について説明する。図１０に示すように、日時検索画面Ｖ２は、映像表示領域ｒ１、日付表示領域ｒ２、番組表表示領域ｒ３および見出し表示領域ｒ４を含む。
【０１７６】
映像表示領域ｒ１には、例えば視聴者の現在選局中のチャンネルの番組が表示される。また、広告等が表示される。
【０１７７】
日付表示領域ｒ２には、日付タグＤＴ１が表示される。これにより、視聴者は、操作装置３８を操作することにより所望の日付を選択することができる。
【０１７８】
番組表表示領域ｒ３には、複数の第１または第２の番組情報に基づいて視聴者が選択した日付における番組表が表示される。そこで、視聴者は操作装置３８を操作することにより表示された各番組を選択することができる。この場合、視聴者により選択された番組の欄がハイライト表示される。
【０１７９】
見出し表示領域ｒ４には、視聴者により選択された番組に関する情報が表示される。
【０１８０】
日付タグＤＴ１について説明する。図１１ａに日付タグＤＴ１が示されている。図１１ａに示すように、日付タグＤＴ１においては、現在の日付（本例では、５月１日）から８日間の日付が強調して表示される。
【０１８１】
ここで、強調された８日間の日付の表示は、例えば視聴者が確定番組の中から予約番組の予約を行うことができることを示す。したがって、視聴者は、強調されていない日付（図１０の例では、５月９日以降）を選択することにより将来番組の予約を行うことができる。
【０１８２】
なお、視聴者が所望の日付（例えば、５月９日）を選択することにより、選択された日付の部分がハイライト表示される。
【０１８３】
日付表示領域ｒ２に表示される日付タグは、上記の例に限定されない。例えば、日付表示領域ｒ２には、図１１ｂの日付タグＤＴ２または図１１ｃの日付タグＤＴ３が表示されてもよい。
【０１８４】
図１１ｂの日付タグＤＴ２においては、８日間の日付が表示されるとともに、日付表示変更ボタンＢ１１，Ｂ１２，Ｂ１３，Ｂ１４が表示される。
【０１８５】
視聴者は、操作装置３８を操作することにより、日付表示変更ボタンＢ１１，Ｂ１２，Ｂ１３，Ｂ１４を選択し、日付タグＤＴ２に表示される日付を変更することができる。なお、日付タグＤＴ２においても、視聴者により選択された日付がハイライト表示される。
【０１８６】
図１１ｃの日付タグＤＴ３は、週表示枠ＷＣおよび日付表示枠ＤＣを有する。週表示枠ＷＣには、各週の先頭の日付（例えば、日曜日の日付）が表示される。日付表示枠ＤＣには、週表示枠ＷＣ内で選択された週の７日間の日付が表示される。
【０１８７】
視聴者は、週表示枠ＷＣにおいて所望の週を選択し、日付表示枠ＤＣにおいて所望の日付を選択することができる。なお、日付タグＤＴ３においては、週表示枠ＷＣおよび日付表示枠ＤＣ内で視聴者により選択された日付が、それぞれハイライト表示される。
【０１８８】
上記のようにして、視聴者は、図１０の日時検索画面Ｖ２から所望の将来番組を選択する（ステップＰ１１）。
【０１８９】
視聴者は、操作装置３８を操作することにより選択された将来番組の詳細を確認することができる。この場合、番組出力装置３７に番組詳細画面が表示される。図１２に番組詳細画面の一例が示されている。
【０１９０】
番組詳細画面Ｖ３は、映像表示領域ｒ１、日付表示領域ｒ２および詳細情報表示領域ｒ５を含む。詳細情報表示領域ｒ５には、視聴者が選択した将来番組の詳細情報が表示される。
【０１９１】
なお、上記では説明していないが、このような放送予定番組の詳細情報は、複数の第１および第２の番組情報の各々に「付加情報」として関連付けられている。
【０１９２】
そこで、視聴者は所望の将来番組の詳細情報を確認し、予約ボタンＲＢを選択することによりその予約を決定する（ステップＰ１２）。
【０１９３】
上記ステップＰ１において、視聴者が、図９の機能選択ボタンＢ２を決定した場合、番組出力装置３７にジャンル検索画面が表示される。図１３にジャンル検索画面の一例が示されている。これにより、視聴者は、ジャンル検索画面Ｖ４により所望の将来番組の検索を行う（ステップＰ２０）。
【０１９４】
ジャンル検索画面Ｖ４は、映像表示領域ｒ１、日付表示領域ｒ２およびジャンル表示領域ｒ６を含む。ジャンル表示領域ｒ６には、番組のジャンルが表示されている。図１３の例では、番組のジャンルとして、「映画」、「ドラマ」、「スポーツ」および「注目番組」等が示されている。
【０１９５】
ここで、上述のように、複数の第１の番組情報の各々においては、確定番組の情報に「ジャンル」が関連付けされている。したがって、視聴者は、所望の「ジャンル」を選択することにより、その「ジャンル」が関連付けされた確定番組を番組出力装置３７に一覧表示させることができる。
【０１９６】
一方、複数の第２の番組情報の各々においては、将来番組の情報に「ジャンル」は関連付けされていない。しかしながら、本実施の形態において、将来番組は「注目番組」のジャンルに分類される。ジャンル検索画面Ｖ４においては、選択された番組の分類がハイライト表示される。
【０１９７】
視聴者が、「注目番組」を選択すると、番組出力装置３７に注目番組一覧画面が表示される。図１４に注目番組一覧画面の一例が示されている。
【０１９８】
注目番組一覧画面Ｖ５は、映像表示領域ｒ１、日付表示領域ｒ２および注目番組一覧表示領域ｒ７を含む。注目番組一覧表示領域ｒ７には、将来番組の一覧が表示されている。この一覧においては、将来番組ごとに「放送開始時刻」および「番組名」等が表示されている。
【０１９９】
視聴者は、注目番組一覧画面Ｖ５の注目番組一覧表示領域ｒ７から所望の将来番組を選択する（ステップＰ２１）。
【０２００】
その後、番組出力装置３７には、図１２の番組詳細画面Ｖ３が表示される。それにより、視聴者はステップＰ１２と同様に、将来番組の詳細情報を確認し、予約ボタンＲＢを選択することによりその予約を決定する。
【０２０１】
上記ステップＰ１において、視聴者が、図９の機能選択ボタンＢ３を選択した場合、番組出力装置３７にインフォメーション画面が表示される。図１５にインフォメーション画面の一例が示されている。視聴者は、インフォメーション画面Ｖ６により所望の将来番組の検索を行う（ステップＰ３０）。
【０２０２】
図１５の例では、インフォメーション画面Ｖ６に「トピックスを表示」および「メールを表示」の２つの機能選択ボタンＢ４，Ｂ５が表示されている。
【０２０３】
機能選択ボタンＢ４，Ｂ５は、それぞれ視聴者にトピックスを表示する機能および視聴者にメールを表示する機能に対応している。
【０２０４】
視聴者は、操作装置３８を操作することにより、２つの機能選択ボタンＢ４，Ｂ５のいずれかを選択する（ステップＰ３０）。
【０２０５】
視聴者が、機能選択ボタンＢ４を選択した場合、番組出力装置３７にトピックス画面が表示される。図１６ａにトピックス画面の一例が示されている。
【０２０６】
図１６ａのトピックス画面Ｖ７においては、番組出力装置３７に複数のトピックスをそれぞれ表示させるための複数の選択ボタンｂ１、および番組出力装置３７に図１４の注目番組一覧画面Ｖ５を表示させるための注目番組ボタンｂ２が表示されている。
【０２０７】
そこで、視聴者は注目番組ボタンｂ２を選択することにより、将来番組の検索を行う（ステップＰ３１）。その後、視聴者は、上記のステップＰ２１，Ｐ１２と同様の手順で、所望の将来番組の予約を決定する。
【０２０８】
また、視聴者が、機能選択ボタンＢ５を選択した場合、番組出力装置３７にメール画面が表示される。図１６ｂにメール画面の一例が示されている。
【０２０９】
図１６ｂのメール画面Ｖ８においては、番組出力装置３７に複数のメールをそれぞれ表示させるための複数の選択ボタンｂ３、および上述の注目番組ボタンｂ２が表示されている。
【０２１０】
視聴者は注目番組ボタンｂ２を選択することにより、将来番組の検索を行う（ステップＰ３２）。その後、視聴者は、上記のステップＰ２１，Ｐ１２と同様の手順で、所望の将来番組の予約を決定する。
【０２１１】
このように、本実施の形態に係る放送システム１の受信装置３０において、視聴者は、種々の手順で番組出力装置３７に表示される画面を操作し、所望の将来番組の予約を行うことができる。
【０２１２】
（ｆ）  番組情報更新処理時の予約番組と確定番組との比較動作の他の例
上述のように、図１の制御部３３の予約更新部３３３は、図７のステップＳ２０２，Ｓ２０３において、新たに受信された複数の第１の番組情報の中に、予約情報記憶部３６に記憶されている予約番組と「放送開始時刻」および「チャンネル」が一致し、「番組名」の少なくとも一部が一致する確定番組の情報が存在するか否かを判別し、この条件を満たす確定番組が予約番組と同一であるとみなしている。しかしながら、予約更新部３３３による比較動作および判別動作のアルゴリズムは上記に限定されない。
【０２１３】
予約更新部３３３は、以下のアルゴリズムにより、新たに受信された複数の第１の番組情報の中に、予約情報記憶部３６に記憶された予約番組の情報と一致する情報があるか否かを判別してもよい。
【０２１４】
例えば、予約更新部３３３は、新たに受信された複数の第１の番組情報の中に、予約情報記憶部３６に記憶されている予約番組と「チャンネル」、「放送開始時刻」および「番組名」が完全に一致する確定番組の情報が存在するか否かを判別し、この条件を満たす確定番組が予約番組と同一であるとみなしてもよい。
【０２１５】
また、予約更新部３３３は、新たに受信された複数の第１の番組情報の中に、予約情報記憶部３６に記憶されている予約番組と「チャンネル」が一致し、「番組名」の少なくとも一部が一致する確定番組の情報が存在するか否かを判別し、この条件を満たす確定番組が予約番組と同一であるとみなしてもよい。
【０２１６】
さらに、予約更新部３３３は、新たに受信された複数の第１の番組情報の中に、予約情報記憶部３６に記憶されている予約番組と「放送開始時刻」が一致し、「番組名」の文字列の長さが一致する確定番組の情報が存在するか否かを判別し、この条件を満たす確定番組が予約番組と同一であるとみなしてもよい。
【０２１７】
複数の第１の番組情報の各々において、個々の確定番組にはさらに番組の詳細説明の「付加情報」が関連付けされてもよい。また、複数の第２の番組情報の各々において、個々の将来番組にはさらに番組の詳細説明の「付加情報」が関連付けされてもよい。
【０２１８】
この場合、予約更新部３３３は、新たに受信された複数の第１の番組情報の中に、予約情報記憶部３６に記憶されている予約番組と「付加情報」が一致する確定番組の情報が存在するか否かを判別し、この条件を満たす確定番組が予約番組と同一であるとみなしてもよい。
【０２１９】
また、予約更新部３３３は、新たに受信された複数の第１の番組情報の中に、予約情報記憶部３６に記憶されている予約番組と「付加情報」の少なくとも一部が一致する確定番組の情報が存在するか否かを判別し、この条件を満たす確定番組が予約番組と同一であるとみなしてもよい。
【０２２０】
その他、予約更新部３３３は、新たに受信された複数の第１の番組情報の中に、予約情報記憶部３６に記憶されている予約番組と「番組名」が一致する確定番組の情報が存在するか否かを判別し、この条件を満たす確定番組が予約番組と同一であるとみなしてもよい。
【０２２１】
さらに、予約更新部３３３は、新たに受信された複数の第１の番組情報の中に、予約番組と「番組名」が一致する確定番組の情報が存在しない場合に、予約情報記憶部３６に記憶されている予約番組と「放送開始時刻」が一致し、「番組名」の文字列の長さが一致する確定番組の情報が存在するか否かを判別し、この条件を満たす確定番組が予約番組と同一であるとみなしてもよい。
【０２２２】
（ｇ）  放送システムの他の構成例
第１の実施の形態に係る放送システム１において、複数の第２の番組情報は、必ずしも放送局装置１０の放送情報作成装置１７により作成される必要はない。放送システム１は以下の構成を有してもよい。
【０２２３】
図１７は、第１の実施の形態に係る放送システム１の他の構成を示すブロック図である。図１７の放送システム１は、以下の点で図１の放送システム１と構成が異なる。
【０２２４】
図１７の放送システム１において、第２の番組情報は、視聴者が操作装置３８を操作することにより作成される。したがって、図１７の放送局装置１０には、図１の第２の番組情報蓄積部１５が設けられていない。
【０２２５】
この場合、視聴者は、雑誌、インターネット等のメディアから将来番組の情報を取得することにより、操作装置３８を用いて第２の番組情報を作成することができる。視聴者により作成される第２の番組情報は、操作装置３８から制御部３３に送信される。これにより、第２の番組情報が制御部３３により取得され、第２の番組情報蓄積部３５に蓄積される。
【０２２６】
図１８は、第１の実施の形態に係る放送システム１のさらに他の構成を示すブロック図である。図１８の放送システム１は、以下の点で図１の放送システム１と構成が異なる。
【０２２７】
図１８の放送システム１において、放送局装置１０には、図１の第２の番組情報蓄積部１５が設けられていない。一方、受信装置３０にはインターネット通信部３９がさらに設けられている。インターネット通信部３９は、インターネット４０に接続されている。
【０２２８】
図１８の放送システム１において、各放送局により作成された第２の番組情報は、インターネット４０に接続された図示しないサーバに蓄積される。
【０２２９】
そこで、受信装置３０の制御部３３は、インターネット通信部３９およびインターネット４０を介して、そのサーバから第２の番組情報をダウンロードする。この場合、ダウンロードされた第２の番組情報が制御部３３により取得され、第２の番組情報蓄積部３５に蓄積される。
【０２３０】
さらに、上述のように、図１、図１７および図１８の放送システム１においては、放送信号が、放送局装置１０から衛星２０を通じて無線により受信装置３０に送信されている。
【０２３１】
しかしながら、放送局装置１０から受信装置３０への放送信号の送信手段はこれに限られない。例えば、放送信号は、放送局装置１０からケーブルを通じて有線により受信装置３０に送信されてもよい。
【０２３２】
（ｈ）  受信装置について
本実施の形態においては、受信装置３０がテレビジョン受像機の例を説明したが、ビデオテープ、ＤＶＤまたはＨＤ等の記録媒体に情報を記録し、記録媒体に記録された情報を再生する録画再生装置であってもよい。この場合、番組出力装置３７は、映像信号、音声信号およびデータ信号の出力端子を含む。
【０２３３】
（２）  第２の実施の形態
（ａ）第１および第２の番組情報の詳細
第２の実施の形態に係る放送システムについて説明する。第２の実施の形態に係る放送システムは、第１の実施の形態に係る放送システム１と同様の構成を有する。第２の実施の形態に係る放送システムにおいては、複数の第１および第２の番組情報の各々に含まれる情報が、第１の実施の形態において用いられる複数の第１および第２の番組情報の各々に含まれる情報と異なる。
【０２３４】
図１９および図２０は、第２の実施の形態に係る放送システムにおいて放送信号の送信日の経過とともに変化する第１および第２の番組情報の一例を示す図である。
【０２３５】
図１９ａに５月１日における第１の番組情報の一例が示され、図１９ｂに５月１日における第２の番組情報の一例が示されている。また、図２０ａに５月２日における第１の番組情報の一例が示され、図２０ｂに５月２日における第２の番組情報の一例が示されている。
【０２３６】
図１９ａおよび図２０ａに示すように、本実施の形態の放送システムに用いられる第１の番組情報においては、確定番組に、「チャンネル」、「放送開始時刻」、「番組名」および「ジャンル」が関連付けされるとともに、「第１の番組識別子」および「第２の番組識別子」が関連付けされている。
【０２３７】
なお、本実施の形態において、「第１の番組識別子」は第１の実施の形態に係る放送システム１に用いられる「番組識別子」に相当する。
【０２３８】
また、図１９ｂおよび図２０ｂに示すように、本実施の形態の放送システムに用いられる第２の番組情報においては、将来番組に、「チャンネル」、「放送開始時刻」および「番組名」が関連付けされるとともに、「第２の番組識別子」が関連付けされている。
【０２３９】
「第２の番組識別子」は、将来番組の編成が決定されるときに放送情報作成装置１７によりその将来番組に付与される。
【０２４０】
その後、放送情報作成装置１７は、日が経過し、将来番組の「放送開始時刻」が放送信号の送信日から一定期間内となる場合に、当該将来番組の情報と同じ内容の確定番組の情報を作成し、当該確定番組に当該将来番組と同じ「第２の番組識別子」を付与する。
【０２４１】
ここでも、第１の実施の形態と同様に、５月１日時点での将来番組「ワールドカップスポーツ中継」（図１９ｂ矢印Ｔ参照）と、５月２日時点での確定番組「番組名：特番ワールドカップスポーツ中継」（図２０ａ矢印Ｕ参照）とが同一内容の番組であるものとする。
【０２４２】
例えば、図１９ｂに示すように、放送情報作成装置１７は、５月１日時点での将来番組「ワールドカップスポーツ中継」に「第２の番組識別子：９９９０２」を付与した場合（図１９ｂ矢印Ｔ参照）、５月２日時点での確定番組「特番ワールドカップスポーツ中継」に「第２の番組識別子：９９９０２」を付与する（図２０ａ矢印Ｕ参照）。
【０２４３】
ただし、例えば５月２日時点で図２０ａ矢印Ｒで示す確定番組は、５月１日時点で図１９ｂに示す第２の番組情報に将来番組として存在していなかったため、第２の番組識別子が付与されていない。
【０２４４】
このように、第２の実施の形態に係る放送システムにおいては、複数の第１および第２の番組情報の各々において、互いに対応する確定番組および将来番組に共通の「第２の番組識別子」が割り当てられる。
【０２４５】
したがって、受信装置３０の予約更新部３３３（図１参照）は、図７のステップＳ２０２，Ｓ２０３において、「第２の番組識別子」を用いたアルゴリズムにより、新たに受信された複数の第１の番組情報の中に、予約情報記憶部３６に記憶された予約番組の情報と一致する情報があるか否かを判別することができる。
【０２４６】
例えば、予約更新部３３３は、新たに受信された複数の第１の番組情報の中に、予約情報記憶部３６に記憶されている予約番組と「第２の番組識別子」が一致する確定番組の情報が存在するか否かを判別し、この条件を満たす確定番組が予約番組と同一であるとみなすことができる。
【０２４７】
この場合、予約更新部３３３は、将来番組に関連付けられる「番組名」と、その将来番組と同一の確定番組に関連付けられる「番組名」とが異なる場合であっても、「第２の番組識別子」に基づいて、確実に複数の第１の番組情報の中から、予約情報記憶部３６に記憶された予約番組の情報と一致する情報があるか否かを判別することができる。
【０２４８】
（ｂ）  第１および第２の番組情報の送信方法
図２１は、第２の実施の形態に係る放送システムに用いられる第１および第２のパケットの構成例を示す図である。図２１ａに第１のパケットＰＢ１が示され、図２１ｂに第２のパケットＰＢ２が示されている。
【０２４９】
図２１ａの第１のパケットＰＢ１は、「第１のフラグ」、「第１の番組識別子」、「チャンネル」、「放送開始時刻」、「番組名」、「ジャンル」および「第２の番組識別子」を順に含む。
【０２５０】
また、図２１ｂの第２のパケットＰＢ２は、「第２のフラグ」、「チャンネル」、「放送開始時刻」、「番組名」および「第２の番組識別子」を順に含む。
【０２５１】
上記の「第１のフラグ」は、後続する情報が第１の番組情報であることを示す。「第２のフラグ」は、後続する情報が第２の番組情報であることを示す。これにより、受信装置３０は、「第１のフラグ」および「第２のフラグ」により、放送信号中の第１および第２の番組情報を識別することができる。
【０２５２】
（３）  請求項の各構成要素と実施の形態における各構成部との対応
以上、第１および第２の実施の形態においては、放送制御部１６および多重化部１８が送信部に相当し、放送制御部１６および放送情報作成装置１７が番組情報生成部に相当し、第１の実施の形態における番組識別子および第２の実施の形態における第１の番組識別子が第１の番組識別子に相当し、第１および第２の番組情報において放送予定番組に関連付けされた「番組名」、「放送開始時刻」、「チャンネル」および「番組識別子」の一または複数が編成情報に相当する。
【０２５３】
また、復号部３２および制御部３３が受信部に相当し、復号部３２、制御部３３およびインターネット通信部３９が取得部に相当し、第１の番組情報蓄積部３４および第２の番組情報蓄積部３５が蓄積部に相当し、予約監視部３３１、計時部３３２、予約設定部３３４、または操作装置３８が予約部に相当する。
【０２５４】
さらに、操作装置３８が入力装置に相当し、予約情報記憶部３６が記憶部に相当し、制御部３３の予約更新部３３３が置換部に相当し、制御部３３および番組出力装置３７が出力部に相当する。
【産業上の利用可能性】
【０２５５】
本発明は、テレビジョン放送等の受信装置および放送方法に有効に利用できる。
【図面の簡単な説明】
【０２５６】
【図１】図１は第１の実施の形態に係る放送システムの構成を示すブロック図
【図２ａ】図２ａは第１の実施の形態に係る放送システムの５月１日における第１の番組情報の一例を示す図
【図２ｂ】図２ｂは第１の実施の形態に係る放送システムの５月１日における第２の番組情報の一例を示す図
【図３ａ】図３ａは第１の実施の形態に係る放送システムの５月２日における第１の番組情報の一例を示す図
【図３ｂ】図３ｂは第１の実施の形態に係る放送システムの５月２日における第２の番組情報の一例を示す図
【図４ａ】図４ａは第１の実施の形態において放送信号に多重化される第１のパケットの構成例を示す図
【図４ｂ】図４ｂは第１の実施の形態において放送信号に多重化される第２のパケットの構成例を示す図
【図５】図５は確定番組および将来番組の予約時における制御部の動作を示すフローチャート
【図６】図６は確定番組および将来番組の予約時における制御部の動作を示すフローチャート
【図７】図７は図１の制御部による番組情報更新処理のフローチャート
【図８】図８は第１の実施の形態に係る放送システムにおいて、視聴者が将来番組を予約する場合の予約手順を示すフローチャート
【図９】図９は視聴者による将来番組の予約時に図１の番組出力装置に表示される画像の一例を示す図
【図１０】図１０は視聴者による将来番組の予約時に図１の番組出力装置に表示される画像の一例を示す図
【図１１ａ】図１１ａは図１０の日時検索画面に表示される日付タグの一例を示す図
【図１１ｂ】図１１ｂは図１０の日時検索画面に表示される日付タグの他の例を示す図
【図１１ｃ】図１１ｃは図１０の日時検索画面に表示される日付タグのさらに他の例を示す図
【図１２】図１２は視聴者による将来番組の予約時に図１の番組出力装置に表示される画像の一例を示す図
【図１３】図１３は視聴者による将来番組の予約時に図１の番組出力装置に表示される画像の一例を示す図
【図１４】図１４は視聴者による将来番組の予約時に図１の番組出力装置に表示される画像の一例を示す図
【図１５】図１５は視聴者による将来番組の予約時に図１の番組出力装置に表示される画像の一例を示す図
【図１６ａ】図１６ａは視聴者による将来番組の予約時に図１の番組出力装置に表示されるトピックス画面の一例を示す図
【図１６ｂ】図１６ｂは視聴者による将来番組の予約時に図１の番組出力装置に表示されるメール画面の一例を示す図
【図１７】図１７は第１の実施の形態に係る放送システムの他の構成を示すブロック図
【図１８】図１８は第１の実施の形態に係る放送システムのさらに他の構成を示すブロック図
【図１９ａ】図１９ａは第２の実施の形態に係る放送システムの５月１日における第１の番組情報の一例を示す図
【図１９ｂ】図１９ｂは第２の実施の形態に係る放送システムの５月１日における第２の番組情報の一例を示す図
【図２０ａ】図２０ａは第２の実施の形態に係る放送システムの５月２日における第１の番組情報の一例を示す図
【図２０ｂ】図２０ａは第２の実施の形態に係る放送システムの５月２日における第２の番組情報の一例を示す図
【図２１ａ】図２１ａは第２の実施の形態において放送信号に多重化される第１のパケットの構成例を示す図
【図２１ｂ】図２１ｂは第２の実施の形態において放送信号に多重化される第２のパケットの構成例を示す図
【図１】
0004757192.tif 000002
【図２ａ】
0004757192.tif 000003
【図２ｂ】
0004757192.tif 000004
【図３ａ】
0004757192.tif 000005
【図３ｂ】
0004757192.tif 000006
【図４ａ】
0004757192.tif 000007
【図４ｂ】
0004757192.tif 000008
【図５】
0004757192.tif 000009
【図６】
0004757192.tif 000010
【図７】
0004757192.tif 000011
【図８】
0004757192.tif 000012
【図９】
0004757192.tif 000013
【図１０】
0004757192.tif 000014
【図１１ａ】
0004757192.tif 000015
【図１１ｂ】
0004757192.tif 000016
【図１１ｃ】
0004757192.tif 000017
【図１２】
0004757192.tif 000018
【図１３】
0004757192.tif 000019
【図１４】
0004757192.tif 000020
【図１５】
0004757192.tif 000021
【図１６ａ】
0004757192.tif 000022
【図１６ｂ】
0004757192.tif 000023
【図１７】
0004757192.tif 000024
【図１８】
0004757192.tif 000025
【図１９ａ】
0004757192.tif 000026
【図１９ｂ】
0004757192.tif 000027
【図２０ａ】
0004757192.tif 000028
【図２０ｂ】
0004757192.tif 000029
【図２１ａ】
0004757192.tif 000030
【図２１ｂ】
0004757192.tif 000031